(57)【要約】      （修正有）【課題】ブロー成形に使用されるプラスチックプリフォームを提供する。【解決手段】プラスチックプリフォームは、中空のプリフォーム１であり、且つ長形状のボディ部１１及びヘッド部１２を備える。ボディ部１１は一端が閉鎖されると共に他端にはヘッド部１２を有し、ボディ部１１内には空間１３を有し、ヘッド部１２は空間に連通される開口部１４を含む。ボディ部１１の外周部１１１は平坦を呈する表面であると共に製品の標示に用いられる貼り紙が貼設され、且つボディ部１１は空間内の内周部１１２に複数のリブ１５を有する。各リブ１５は空間内に突出されると共にボディ部１１に延伸され、成形されるプリフォーム１の縦方向の構造強度が補強される。【選択図】図１
0003203971.tif 000002
【実用新案登録請求の範囲】
【請求項１】
中空のプリフォームが長形状を呈するボディ部及びヘッド部を備え、前記ボディ部は一端が閉鎖されると共に他端は前記ヘッド部を有し、前記ボディ部内は空間を有し、前記ヘッド部は前記空間に連通される開口部を含み、前記ボディ部の外周部は平坦を呈する表面であり、且つ前記ボディ部は前記空間内の内周部に複数のリブを有し、各前記リブは前記空間内において突出されると共に前記ボディ部に延伸されることを特徴とするプラスチックプリフォーム。
【請求項２】
各前記リブは前記内周部において前記ボディ部の長さ方向に沿って直線的に延伸され、且つ各前記リブは等間隔に環状に配列されることを特徴とする、請求項１に記載のプラスチックプリフォーム。
【請求項３】
各前記リブは前記内周部において前記ボディ部の長さ方向に沿って斜めに延伸されることを特徴とする、請求項１に記載のプラスチックプリフォーム。
【請求項４】
各前記リブが延伸される長さは前記ボディ部の長さに等しいことを特徴とする、請求項１に記載のプラスチックプリフォーム。
【請求項５】
各前記リブの延伸される長さは前記ボディ部の長さより短いことを特徴とする、請求項１に記載のプラスチックプリフォーム。
【考案の詳細な説明】
【技術分野】
【０００１】
本考案は、ブロー成形に使用されるプラスチックプリフォームに関する。
【背景技術】
【０００２】
従来のプラスチックのプリフォーム９１は、そのヘッド部９１１が固定されて前記ボディ部９１２が金型９２内に延設され（図９参照）、ブロー成形が行われた後に冷却され、前記プリフォーム９１が図１０に示すようにボトル９３に成形される。前述のボトル９３の外周部９３１は前記金型９２のキャビティ型９２１の形状に従って凹凸構造に成形され、且つ対応して突出される部分には横方向の環状リブ９３２が形成され、前記ボトル９３は成形後に外周部９３１に製品の標示に用いられる貼り紙(図示せず)が貼設され、且つ通常では平坦な箇所或いはボトル９３の外周部９３１全体の周りに貼設される。
【考案の概要】
【考案が解決しようとする課題】
【０００３】
しかしながら、前述した従来のプリフォームでは、すなわち、前述のプリフォーム９１によりブロー成形されるボトル９３は、外周部９３１が凹凸構造になるため、環状リブ９３２により前記ボトル９３に対して横方向の構造強度の補強効果が与えられる。このため、貼設される貼り紙は主に対応する突起箇所の表面に貼着されて固定されるが、対応する凹む箇所の部位が跨がれて隙間ができ、これにより外周部９３１の表面に貼着される貼り紙の貼着が不確実になり、剥がれ易くなる問題が発生した。
【０００４】
このほか、成形されるボトル９３は、その外周部９３１の凹凸構造は環状リブ９３２によりボトル９３に対して横方向の構造強度の補強効果が提供されるが、但し、縦方向に圧力を受けた場合、縦方向の強度には良好な支持力が提供されないため、縦方向に圧力を受けると変形し易くなる問題が発生した。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の目的は、プラスチックプリフォームを提供することにある。
【課題を解決するための手段】
【０００７】
上述した課題を解決し、上記目的を達成するための本考案は、本考案に係るプラスチックプリフォームは、中空のプリフォームが長形状を呈するボディ部及びヘッド部を備え、前記ボディ部は一端が閉鎖されると共に他端には前記ヘッド部を有し、前記ボディ部内には空間を有し、前記ヘッド部は前記空間に連通される開口部を含み、前記ボディ部の外周部は平坦を呈する表面であり、且つ前記ボディ部は前記空間内の内周部に複数のリブを有し、各前記リブは前記空間内に突出されると共に前記ボディ部に延伸されることを特徴とする。
【０００８】
請求項２に記載のプラスチックプリフォームは請求項１において、各前記リブは共に前記内周部に前記ボディ部の長さ方向に沿って直線的に延伸され、且つ各前記リブは等間隔に環状に配列される。
【０００９】
請求項３に記載のプラスチックプリフォームは請求項１において、各前記リブは前記内周部に前記ボディ部の長さ方向に沿って斜めに延伸される。
【００１０】
請求項４に記載のプラスチックプリフォームは請求項１において、各前記リブが延伸される長さは前記ボディ部の長さに等しい。
【００１１】
請求項５に記載のプラスチックプリフォームは請求項１において、各前記リブの延伸される長さは前記ボディ部の長さより短い。
【考案の効果】
【００１２】
本考案によれば、成形される製品の外周部の表面が平坦になり、製品の標示に用いられる貼り紙が密着されて隙間無く貼着されるため、貼り紙が外周部に確実に固定されて剥がれなくなる。また、内周部の複数のリブにより成形された製品に縦方向の構造強度の補強が提供され、圧力を受けても変形しにくくなる。
【図面の簡単な説明】
【００１３】
【図１】本考案の第１実施形態に係るプリフォームを示す外観斜視図である。
【図２】本考案の第１実施形態に係るプリフォームを示す上面の構成図である。
【図３】本考案の第１実施形態に係るプリフォームが金型に位置決めされる断面構成図である。
【図４】本考案の第１実施形態に係るプリフォームが金型に吹込み成形法によりボトルとなる断面構成図である。
【図５】本考案の第１実施形態に係るプリフォームが図９及び図１０に示す金型に、吹込み成形法によりボトルとなる断面構成図である。
【図６】本考案の第２実施形態に係るプリフォームを示す外観斜視図である。
【図７】本考案の第２実施形態に係るプリフォームを示す上面の構成図である。
【図８】本考案の第２実施形態に係るプリフォームが金型に吹込み成形法によりボトルとなる断面構成図である。
【図９】従来のプリフォームが金型に位置決めされる断面構成図である。
【図１０】従来のプリフォームが金型に吹込み成形法によりボトルとなる断面構成図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１５】
（第１実施形態）
まず、本考案のプラスチックプリフォームを図１及び図２を参照して説明する。中空のプリフォーム１は、ボディ部１１及びヘッド部１２を備え、前記ボディ部１１は長形状を呈し、前記ボディ部１１の一端は閉鎖され、且つ他端には前記ヘッド部１２を有する。前記ボディ部１１内には空間１３を有し、前記ヘッド部１２は前記空間１３に連通される開口部１４を含み、前記ボディ部１１の外周部１１１は平坦を呈する表面であり、且つ前記ボディ部１１は前記空間１３内の内周部１１２に複数のリブ１５を有する。各前記リブ１５は前記空間１３内に突出されると共にボディ部１１に延伸される。
【００１６】
さらに、本実施形態の複数のリブ１５は共に前記内周部１１２が前記ボディ部１１の長さ方向に沿って直線的に延伸され、且つ複数のリブ１５は等間隔で環状に配列され、各前記リブ１５の延伸される長さは前記ボディ部１１の長さに等しい。
【００１７】
続いて、図３乃至図４に示すように、本実施形態のプリフォーム１は金型２内でブロー成形される際に、前記プリフォーム１のヘッド部１２が固定されると共に前記ボディ部１１が金型２のキャビティ型２１の中に延入され、その後ブロー成形により前記プリフォーム１のボディ部１１が前記金型２のキャビティ型２１に沿って製品のボトル３として成形される。この際、前記ボトル３の外周部はキャビティ型２１の内輪郭に対応されて平坦な表面３１となり、且つ前記ボトル３内では前述のリブ１５がブロー成形を経た後に縦方向リブ３２を有する。これにより、前記ボトル３の表面３１が平坦になって凹凸構造が無くなるため、製品の標示に用いられる貼り紙が前記ボトル３の表面３１に密着して貼設され、且つ縦方向リブ３２の形成により、前記ボトル３が十分な縦方向の構造強度を有するため、ボトル３が圧力を受けると変形し易くなる問題が回避される。
【００１８】
なお、本実施形態に係るプリフォーム１は従来の金型９２内でブロー成形を行う際に、ブロー成形されるボトル４は、その表面４１が凹凸構造になることで横方向の補強効果を有するのみならず、前記ボトル４内には各リブ１５に従って成形される縦方向リブ４２を有するため、前記ボトル３は縦方向及び横方向に更に好ましい構造強度を有し、前記ボトル３が圧力を受けて変形し易くなる問題が回避される（図５参照）。
【００１９】
（第２実施形態）
当然ながら、本考案には多くの実施例が存在するが、それらの間には些細な変化を有するのみである。本考案の第２実施形態の構成を図６から図７に示す。プリフォーム５は第１実施形態と同様にボディ部５１及びヘッド部５２を備え、前記ボディ部５１内には空間５３を有し、前記ヘッド部５２は開口部５４を含み、前記ボディ部５１の外周部５１１は平坦を呈する表面である。第１実施形態との主な差異は、各前記リブ５５は前記内周部５１２が前記ボディ部５１の長さ方向に沿って斜めに延伸され、且つ各前記リブ５５が延伸される長さが前記ボディ部５１の長さより短い点である。図８に示すように、本実施形態に係るプリフォーム５により成形されるボトル６は、同様に平坦な表面６１を有し、且つ複数のリブ５５により形成される補強用リブ６２を備え、各前記リブ５５は前記ボディ部５１の部分の長さにより各前記補強用リブ６２が前記ボトル６内に成形される。従来の成形されるボトルは内部に補強用リブ６２が無いのに比べると、好ましい構造強度を有し、且つ第１実施形態と同様に平坦な表面６１により製品の標示に用いられる貼り紙が密着して貼着されるため、第１実施形態と同じ効果を達成させる。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
（従来の部分）
９１  プリフォーム
９１１  ヘッド部
９１２  ボディ部
９２  金型
９３  ボトル
９３１  外周部
９３２  環状リブ
（本考案の部分）
１  プリフォーム
１１  ボディ部
１１１  外周部
１１２  内周部
１２  ヘッド部
１３  空間
１４  開口部
１５  リブ
２  金型
２１  キャビティ型
３  ボトル
３１  表面
３２  縦方向リブ
４  ボトル
４１  表面
４２  縦方向リブ
５  プリフォーム
５１  ボディ部
５１１  外周部
５１２  内周部
５２  ヘッド部
５３  空間
５４  開口部
５５  リブ
６  ボトル
６１  表面
６２  補強用リブ
【図１】
0003203971.tif 000003
【図２】
0003203971.tif 000004
【図３】
0003203971.tif 000005
【図４】
0003203971.tif 000006
【図５】
0003203971.tif 000007
【図６】
0003203971.tif 000008
【図７】
0003203971.tif 000009
【図８】
0003203971.tif 000010
【図９】
0003203971.tif 000011
【図１０】
0003203971.tif 000012